(57)【要約】【課題】  光学ピックアップ用のＲＦアンプをＬＣＲ（レーザーカプラー）方式とディスクリート方式で共用する。【解決手段】  フォーカスエラー信号（ＦＥ信号）生成部で、入力信号Ａと入力信号Ｃを加算するための加算器ＡＤＤ１と、入力信号Ｂと入力信号Ｄを加算するための加算器ＡＤＤ２を追加した。ＣＤのトラッキングエラー信号（ＴＥ信号）生成部で、ＬＣＲ（レーザーカプラー）方式とディスクリート方式を切り替えるスイッチＳＷ３を設けた。センターエラー信号（ＣＥ信号）生成部でスイッチＳＷ１、ＳＷ２を設け、ＬＣＲ（レーザーカプラー）方式のとき加算器ＡＤＤ４、ＡＤＤ５の出力がトップホールドＴＨ１，ＴＨ２に入力されないようにした。ＲＦ信号生成部でＬＣＲ（レーザーカプラー）方式のときは入力信号ＰＤ１と入力信号ＰＤ２の和がＲＦ信号として出力され、ディスクリート方式のときは入力信号Ａ〜入力信号Ｄの合計がＲＦ信号として出力される。【選択図】  図１
2005243095.tif 000002
【特許請求の範囲】
【請求項１】
ディスクリート方式及びレーザーカプラー方式のいずれにも適用し得る光学ピックアップ用の増幅器であって、
前記光学ピックアップからの出力信号を入力してフォーカスエラー信号を出力するフォーカスエラー信号生成部と、
前記光学ピックアップからの出力信号を入力してトラッキングエラー信号を出力するトラッキングエラー信号生成部と、
前記光学ピックアップからの出力信号を入力してセンターエラー信号を出力するセンターエラー信号生成部と、
前記光学ピックアップからの出力信号を入力してＲＦ信号を出力するＲＦ信号生成部とを備え、
前記光学ピックアップからの出力信号が前記ディスクリート方式又は前記レーザーカプラー方式かによって切り替えられる信号切替器を、前記トラッキングエラー信号生成部及び前記センターエラー信号生成部にそれぞれ設けたことを特徴とする光学ピックアップ用の増幅器。
【請求項２】
受光信号を受ける第１入力端子乃至第８入力端子と、
前記第１入力端子の入力信号と前記第３入力端子の入力信号を加算する第１加算器と、
前記第２入力端子の入力信号と前記第４入力端子の入力信号を加算する第２加算器と、
前記第１加算器の出力から前記第２加算器の出力を減算する第１差動増幅器と、
前記第１差動増幅器の出力に接続されたフォーカスエラー出力端子と、
前記第１加算器の出力と前記第２加算器の出力を加算する第３加算器と、
前記第３加算器の出力に接続されたＲＦ出力端子と、
前記第１入力端子の入力信号と前記第４入力端子の入力信号を加算する第４加算器と、
前記第２入力端子の入力信号と前記第３入力端子の入力信号を加算する第５加算器と、
前記第４加算器の出力をオン／オフする第１スイッチと、
前記第５加算器の出力をオン／オフする第２スイッチと、
前記第５入力端子又は前記第１スイッチから信号を受け、当該信号のピーク値を保持する第１トップホールド回路と、
前記第６入力端子又は前記第２スイッチから信号を受け、当該信号のピーク値を保持する第２トップホールド回路と、
前記第１トップホールド回路の出力から前記第２トップホールド回路の出力を減算する第２差動増幅器と、
前記第２差動増幅器の出力に接続されたセンターエラー出力端子と、
前記第１トップホールド回路の出力からその入力又は当該入力を増幅した信号を減算する第３差動増幅器と、
前記第２トップホールド回路の出力からその入力又は当該入力を増幅した信号を減算する第４差動増幅器と、
前記第３差動増幅器の出力から前記第４差動増幅器の出力を減算する第５差動増幅器と、
前記第７入力端子の入力信号から前記第８入力端子の入力信号を減算する第６差動増幅器と、
前記第５差動増幅器の出力又は前記第６差動増幅器の出力のいずれかを選択する第３スイッチと、
前記第３スイッチの出力に接続されたトラッキングエラー信号端子と、
を備えることを特徴とする光学ピックアップ用の増幅器。
【請求項３】
請求項２に記載の増幅器であって、
前記第１入力端子、前記第２入力端子、前記第５入力端子及び前記第６入力端子に受光信号を入力する場合において、前記第３入力端子及び前記第４入力端子は中間電位に設定され、前記第１スイッチ及び前記第２スイッチはオフにされ、前記第３スイッチで前記第５差動増幅器の出力が選択されることを特徴とする光学ピックアップ用の増幅器。
【請求項４】
請求項２に記載の増幅器であって、
前記第１入力端子、前記第２入力端子、前記第３入力端子、前記第４入力端子、前記第７入力端子及び前記第８入力端子に受光信号を入力する場合において、前記第５入力端子及び前記第６入力端子は無接続とされ、前記第１スイッチ及び前記第２スイッチはオンにされ、前記第３スイッチで前記第６差動増幅器の出力が選択されることを特徴とする光学ピックアップ用の増幅器。
【請求項５】
請求項２に記載の増幅器であって、
前記第３加算器は、前記第１加算器の出力と前記第２加算器の出力を加算することに代えて、前記第４加算器の出力と前記第５加算器の出力を加算することを特徴とする光学ピックアップ用の増幅器。
【請求項６】
請求項２に記載の増幅器であって、
前記第５差動増幅器、前記第６差動増幅器及び前記第３スイッチに代えて、前記第３差動増幅器の出力又は前記第７端子の入力信号のいずれかを選択する第４スイッチと、前記第４差動増幅器の出力又は前記第８端子の入力信号のいずれかを選択する第５スイッチと、前記第４スイッチの出力から前記第５スイッチの出力を減算する第７差動増幅器と、を備えることを特徴とする光学ピックアップ用の増幅器。
【請求項７】
光学ピックアップからのレーザ光を光ディスクに照射し、前記光ディスクから情報を読み取る光ディスク装置であって、
前記光ディスクを保持して回転させる光ディスク駆動部と、
前記光ディスクにレーザ光を照射するレーザ光源、及び前記光ディスクからの反射光を受光して、受光した反射光を電圧に変換する光電変換部を含む光学ピックアップと、
前記光学ピックアップを所定の方向に移動する光学ピックアップ駆動部と、
前記光学ピックアップからの出力信号が入力される請求項１から請求項６のうち、いずれか一項に記載の光学ピックアップ用の増幅器と、
を備えることを特徴とする光ディスク装置。
【発明の詳細な説明】
【技術分野】
【０００１】
本発明は、本発明は、ＣＤやＤＶＤ用の光ディスク装置、及びこの光ディスク装置に用いられる光学ピックアップ用の増幅器に関する。
【背景技術】
【０００２】
例えばＣＤ（Compact Disc）やＤＶＤ（Digital Versatile Disc）、ＣＤ−ＲＯＭ（CD-Read Only Memory）、ＤＶＤ−ＲＯＭ（DVD-Read Only Memory）、ＣＤ−Ｒ／ＲＷ（CD-Recordable/CD-ReWritable）などの各種の光ディスクを扱う光ディスク装置は、一般に、光ディスクの記録面上にレーザ光を照射して信号読み取り／書き込みを行う光学ピックアップと、当該光学ピックアップを光ディスク上の所望のトラック位置若しくはその近傍まで移動させる光学ピックアップ移動機構などを備えている。
【０００３】
光学ピックアップは光ディスク上の所望のトラック位置に光スポットを照射するとともにトラックをトレースする必要があり、そのためフォーカシングやトラッキングといった光スポットの位置制御という重要な機能を果たすように設計されている。光スポットの位置が光ディスクの記録膜上のトラックからずれている場合には、そのずれが光検出器の分割された受光面上に光強度分布の変化として現れる。これらの変化を検出し、フォーカシングやトラッキング誤差信号を得ている。これらの誤差信号に基づき、光学ピックアップ移動機構や光学ピックアップの対物レンズ用のアクチュエータを駆動して光スポット位置のずれ量を許容値以下となるまでに低減させる。フォーカシングやトラッキング誤差信号を生成するために用いられるのがＲＦアンプ（光学ピックアップ用の増幅器）である。
【０００４】
光学ピックアップの方式には、従来、ＬＣＲ（レーザーカプラー）方式とディスクリート方式とがあり、光学ピックアップのフォトデテクタ（ＰＤ）の出力を増幅するためにそれぞれ専用のＲＦアンプが用いられていた。それぞれ専用のＲＦアンプにおいて次のような論理式に基づいて信号を生成していた。
（１）ＬＣＲ（レーザーカプラー）方式：レーザダイオード、フォトデテクタ、及びプリズムをひとつにまとめたもの
・フォーカスエラー信号（ＦＥ信号）：（ＰＤ１信号）−（ＰＤ２信号）＝ＦＥ信号
・ＣＤのトラッキングエラー信号（ＴＥ信号）：（Top Hold Push pullされたＥ信号）−（Top Hold Push pullされたＦ信号）＝ＴＥ信号
・センターエラー信号（ＣＥ信号）：（Top HoldされたＥ信号）−（Top HoldされたＦ信号）＝ＣＥ信号
・ＲＦ信号：（ＰＤ１信号）＋（ＰＤ２信号）＝ＲＦ信号
（２）ディスクリート方式
・フォーカスエラー信号（ＦＥ信号）：（Ａ信号＋Ｃ信号）−（Ｂ信号＋Ｄ信号）＝ＦＥ信号
・ＣＤのトラッキングエラー信号（ＴＥ信号）：（Ｅ２信号）−（Ｆ２信号）＝ＴＥ信号
・センターエラー信号（ＣＥ信号）：（Top HoldされたＡ＋Ｄ信号）−（Top HoldされたＢ＋Ｃ信号）＝ＣＥ信号
・ＲＦ信号：（Ａ信号）＋（Ｂ信号）＋（Ｃ信号）＋（Ｄ信号）＝ＲＦ信号
上述したＬＣＲ（レーザーカプラー）方式用のＲＦアンプのブロック図を図１１に示す。また、ディスクリート方式用のＲＦアンプのブロック図を図１２に示す。
【発明の開示】
【発明が解決しようとする課題】
【０００５】
上述のように、従来のＲＦアンプはＬＣＲ（レーザーカプラー）方式とディスクリート方式それぞれ専用の回路構成であったので、異なる方式に対応しようとするとＲＦアンプを交換しなければならず、したがって光学ピックアップの方式を容易に切り替えることは困難であった。
【０００６】
本発明は上記課題を解決するためになされたもので、ＬＣＲ（レーザーカプラー）方式とディスクリート方式の光学ピックアップのどちらにも適用できる光学ピックアップ用の増幅器及び光ディスク装置を提供することを目的とする。
【課題を解決するための手段】
【０００７】
本発明に係る光学ピックアップ用の増幅器は、ディスクリート方式又はレーザーカプラー方式に適用し得る光学ピックアップ用の増幅器であって、前記光学ピックアップからの出力信号を入力してフォーカスエラー信号を出力するフォーカスエラー信号生成部と、  前記光学ピックアップからの出力信号を入力してトラッキングエラー信号を出力するトラッキングエラー信号生成部と、前記光学ピックアップからの出力信号を入力してセンターエラー信号を出力するセンターエラー信号生成部と、前記光学ピックアップからの出力信号を入力してＲＦ信号を出力するＲＦ信号生成部とを備え、前記光学ピックアップから入力された入力信号から前記ディスクリート方式又は前記レーザーカプラー方式に応じた信号を選択して出力するための信号切替器を、前記トラッキングエラー信号生成部及び前記センターエラー信号生成部にそれぞれ設けたものである。
【０００８】
また、本発明に係る光学ピックアップ用の増幅器は、受光信号を受ける第１入力端子乃至第８入力端子と、前記第１入力端子の入力信号と前記第３入力端子の入力信号を加算する第１加算器と、前記第２入力端子の入力信号と前記第４入力端子の入力信号を加算する第２加算器と、前記第１加算器の出力から前記第２加算器の出力を減算する第１差動増幅器と、前記第１差動増幅器の出力に接続されたフォーカスエラー出力端子と、前記第１加算器の出力と前記第２加算器の出力を加算する第３加算器と、前記第３加算器の出力に接続されたＲＦ出力端子と、前記第１入力端子の入力信号と前記第４入力端子の入力信号を加算する第４加算器と、前記第２入力端子の入力信号と前記第３入力端子の入力信号を加算する第５加算器と、前記第４加算器の出力をオン／オフする第１スイッチと、前記第５加算器の出力をオン／オフする第２スイッチと、前記第５入力端子又は前記第１スイッチから信号を受け、当該信号のピーク値を保持する第１トップホールド回路と、前記第６入力端子又は前記第２スイッチから信号を受け、当該信号のピーク値を保持する第２トップホールド回路と、前記第１トップホールド回路の出力から前記第２トップホールド回路の出力を減算する第２差動増幅器と、前記第２差動増幅器の出力に接続されたセンターエラー出力端子と、前記第１トップホールド回路の出力からその入力又は当該入力を増幅した信号を減算する第３差動増幅器と、前記第２トップホールド回路の出力からその入力又は当該入力を増幅した信号を減算する第４差動増幅器と、前記第３差動増幅器の出力から前記第４差動増幅器の出力を減算する第５差動増幅器と、前記第７入力端子の入力信号から前記第８入力端子の入力信号を減算する第６差動増幅器と、前記第５差動増幅器の出力又は前記第６差動増幅器の出力のいずれかを選択する第３スイッチと、前記第３スイッチの出力に接続されたトラッキングエラー信号端子と、を備えるものである。
【０００９】
本発明による光学ピックアップ用の増幅器をＬＣＲ（レーザーカプラー）方式の光学ピックアップに使用する場合には、前記第１入力端子、前記第２入力端子、前記第５入力端子及び前記第６入力端子に受光信号ＰＤ１、ＰＤ２、Ｅ，Ｆを入力する。この場合において、前記第３入力端子及び前記第４入力端子は中間電位に設定され、前記第１スイッチ及び前記第２スイッチはオフにされ、前記第３スイッチで前記第５差動増幅器の出力が選択される。
【００１０】
本発明による光学ピックアップ用の増幅器をディスクリート方式の光学ピックアップに使用する場合には、前記第１入力端子、前記第２入力端子、前記第３入力端子、前記第４入力端子、前記第７入力端子及び前記第８入力端子に受光信号Ａ〜Ｄ、Ｅ２，Ｆ２を入力する。この場合において、前記第５入力端子及び前記第６入力端子は無接続とされ、前記第１スイッチ及び前記第２スイッチはオンにされ、前記第３スイッチで前記第６差動増幅器の出力が選択される。
【００１１】
前記第３加算器は、前記第１加算器の出力と前記第２加算器の出力を加算することに代えて、前記第４加算器の出力と前記第５加算器の出力を加算するようにしてもよい。
【００１２】
前記第５差動増幅器、前記第６差動増幅器及び前記第３スイッチに代えて、前記第３差動増幅器の出力又は前記第７端子の入力信号のいずれかを選択する第４スイッチと、前記第４差動増幅器の出力又は前記第８端子の入力信号のいずれかを選択する第５スイッチと、前記第４スイッチの出力から前記第５スイッチの出力を減算する第７差動増幅器と、設けてもよい。
【００１３】
さらに、本発明に係る光ディスク装置は、光学ピックアップからのレーザ光を光ディスクに照射し、前記光ディスクから情報を読み取る光ディスク装置であって、前記光ディスクを保持して回転させる光ディスク駆動部と、前記光ディスクにレーザ光を照射するレーザ光源、及び前記光ディスクからの反射光を受光して、受光した反射光を電圧に変換する光電変換部を含む光学ピックアップと、前記光学ピックアップを所定の方向に移動する光学ピックアップ駆動部と、前記光学ピックアップからの出力信号が入力される請求項１から請求項６のうち、いずれか一項に記載の光学ピックアップ用の増幅器と、を備えるものである。
【発明の効果】
【００１４】
本発明によれば、ＬＣＲ（レーザーカプラー）方式とディスクリート方式の光学ピックアップのどちらにも適用できるＲＦアンプを実現できる。また、このようなＲＦアンプを備えた光ディスク装置を実現できる。
【発明を実施するための最良の形態】
【００１５】
発明の実施の形態１．
以下、添付図面を参照して、本発明の実施の形態１について説明を加える。
【００１６】
図１は本発明の実施の形態１に係るＬＣＲ（レーザーカプラー）方式及びディスクリート方式について共用可能なＲＦアンプのブロック図である。
【００１７】
同図において、Ｔ１乃至Ｔ８は光学ピックアップの受光信号を受ける第１入力端子乃至第８入力端子である。第１入力端子Ｔ１はＬＣＲ（レーザーカプラー）方式のＰＤ１入力端子とディスクリート方式のＡ入力端子を共用している。第２入力端子Ｔ２はＬＣＲ（レーザーカプラー）方式のＰＤ２入力端子とディスクリート方式のＢ入力端子を共用している。第３入力端子Ｔ３はディスクリート方式のＣ入力端子である。第４入力端子Ｔ４はディスクリート方式のＤ入力端子である。第５入力端子Ｔ５はＬＣＲ（レーザーカプラー）方式のＥ入力端子である。第６入力端子Ｔ６はＬＣＲ（レーザーカプラー）方式のＦ入力端子である。第７入力端子Ｔ７はディスクリート方式のＥ２入力端子である。第８入力端子Ｔ８はディスクリート方式のＦ２入力端子である。
【００１８】
ＡＤＤ１は第１入力端子Ｔ１の入力信号と第３入力端子Ｔ３の入力信号を加算する第１加算器である。ＡＤＤ２は第２入力端子Ｔ２の入力信号と第４入力端子Ｔ４の入力信号を加算する第２加算器である。ＤＡＭＰ１は第１加算器ＡＤＤ１の出力から第２加算器ＡＤＤ２の出力を減算する第１差動増幅器である。第１差動増幅器ＤＡＭＰ１の出力はフォーカスエラー（ＦＥ）出力端子に接続されている。加算器ＡＤＤ１、ＡＤＤ２及び差動増幅器ＤＡＭＰ１はフォーカスエラー信号生成部を構成する。
【００１９】
ＡＤＤ３は第１加算器ＡＤＤ１の出力と第２加算器ＡＤＤ２の出力を加算する第３加算器である。加算器ＡＤＤ３の出力はＲＦ出力端子に接続されている。加算器ＡＤＤ１、ＡＤＤ２及び第３加算器ＡＤＤ３はＲＦ信号生成部を構成する。
【００２０】
ＡＤＤ４は第１入力端子Ｔ１の入力信号と第４入力端子Ｔ４の入力信号を加算する第４加算器である。ＡＤＤ５は第２入力端子Ｔ２の入力信号と第３入力端子Ｔ３の入力信号を加算する第５加算器である。信号切替器であるＳＷ１は第４加算器ＡＤＤ４の出力に設けられて当該出力をオン／オフする第１スイッチである。信号切替器であるＳＷ２は第５加算器の出力に設けられて当該出力をオン／オフする第２スイッチである。ＴＨ１は第５入力端子Ｔ５及び第１スイッチＳＷ１に接続され、入力信号Ｅ又は第４加算器ＡＤＤ４の出力信号のピーク値を保持する第１トップホールド回路である。ＴＨ２は第６入力端子Ｔ６及び第２スイッチＳＷ２に接続され、入力信号Ｆ又は第５加算器ＡＤＤ５の出力信号のピーク値を保持する第２トップホールド回路である。ＤＡＭＰ２は第１トップホールド回路ＴＨ１の出力から第２トップホールド回路ＴＨ２の出力を減算する第２差動増幅器である。第２差動増幅器ＤＡＭＰ２の出力はセンターエラー（ＣＥ）出力端子に接続されている。加算器ＡＤＤ４，ＡＤＤ５、スイッチＳＷ１、ＳＷ２、トップホールド回路ＴＨ１，ＴＨ２及び第２差動増幅器ＤＡＭＰ２はセンターエラー信号生成部を構成する。
【００２１】
ＤＡＭＰ３は第１トップホールド回路ＴＨ１の出力から、その入力又は当該入力を増幅した信号を減算する第３差動増幅器である。ＤＡＭＰ４は第２トップホールド回路ＴＨ２の出力からその入力又は当該入力を増幅した信号を減算する第４差動増幅器である。トップホールド回路ＴＨ１、ＴＨ２の入力と差動増幅器ＤＡＭＰ３、ＤＡＭＰ４の入力の間にそれぞれ増幅器ＡＭＰ１、ＡＭＰ２を設けてもよい。ＤＡＭＰ５は第３差動増幅器ＤＡＭＰ３の出力から第４差動増幅器ＤＡＭＰ４の出力を減算する第５差動増幅器である。ＤＡＭＰ６は第７入力端子Ｔ７の入力信号Ｅ２から第８入力端子Ｔ８の入力信号Ｆ２を減算する第６差動増幅器である。信号切替器であるＳＷ３は、第５差動増幅器ＤＡＭＰ５の出力又は第６差動増幅器ＤＡＭＰ６の出力のいずれかを選択する第３スイッチである。第３スイッチの出力端はＣＤ用のトラッキングエラー（ＣＤ＿ＴＥ）信号端子に接続されている。増幅器ＡＭＰ１，ＡＭＰ２、差動増幅器ＤＡＭＰ３〜ＤＡＭＰ６、スイッチＳＷ６はトラッキングエラー信号生成部を構成する。
【００２２】
本発明の実施の形態１に係るＲＦアンプは、ＬＣＲ（レーザーカプラー）方式とディスクリート方式で共用するために次のように構成したことを特徴とする。
（１）フォーカスエラー信号（ＦＥ信号）生成部において、入力信号Ａと入力信号Ｃを加算するための加算器ＡＤＤ１と、入力信号Ｂと入力信号Ｄを加算するための加算器ＡＤＤ２を追加した。第１入力端子Ｔ１をＬＣＲ（レーザーカプラー）方式の入力信号ＰＤ１とディスクリート方式の入力信号Ａの共通の入力端子とし、第２入力端子Ｔ２をＬＣＲ（レーザーカプラー）方式の入力信号ＰＤ２とディスクリート方式の入力信号Ｂの共通の入力端子とした。
【００２３】
または、第３入力端子Ｔ３をＬＣＲ（レーザーカプラー）方式の入力信号ＰＤ１とディスクリート方式の入力信号Ｃの共通の入力端子とし、第４入力端子Ｔ４をＬＣＲ（レーザーカプラー）方式の入力信号ＰＤ２とディスクリート方式の入力信号Ｄの共通の入力端子としてもよい。
（２）ＣＤのトラッキングエラー信号（ＴＥ信号）生成部において、ＬＣＲ（レーザーカプラー）方式のときは第５入力端子Ｔ５の入力信号Ｅと第６入力端子Ｔ６の入力信号Ｆのトップホールドプッシュプルにより信号を生成し、ディスクリート方式のときは第７入力端子Ｔ７の入力信号Ｅ２と第８入力端子Ｔ８の入力信号Ｆ２のプッシュプルにより信号を生成する。これら信号の切り替えを実現するため、ＣＤのトラッキングエラー信号出力前段にスイッチＳＷ３を設け、ＳＷ３をＤＡＭＰ５側へ接続するとＬＣＲ方式、ＤＡＭＰ６側へ接続するとディスクリート方式に応じた信号と、選択して出力できるようにした。
（３）センターエラー信号（ＣＥ信号）生成部において、ＬＣＲ（レーザーカプラー）方式のときは上記入力信号Ｅと上記入力信号Ｆをトップホールド後、差動増幅器ＤＡＭＰ２により差を求めることにより生成する。ディスクリート方式のときは加算器ＡＤＤ４で上記入力信号Ａと上記入力信号Ｄを加算し、加算器ＡＤＤ５で上記入力信号Ｂと上記入力信号Ｄを加算し、その後、それぞれの加算器ＡＤＤ４及び加算器ＡＤＤ５からの出力Ａ＋ＤとＢ＋Ｃをトップホールド後、差動増幅器ＤＡＭＰ２によりこれらの差を求めることにより生成する。ＬＣＲ（レーザーカプラー）方式とディスクリート方式の切り替えを実現するため、トップホールドＴＨ１，ＴＨ２への入力前にスイッチＳＷ１、ＳＷ２を設け、ＬＣＲ（レーザーカプラー）方式のとき両スイッチ共にオフにして加算器ＡＤＤ４、ＡＤＤ５の出力がトップホールドＴＨ１，ＴＨ２に入力されないようにし、ディスクリート方式のときは両スイッチ共にオンにして加算器ＡＤＤ４、ＡＤＤ５の出力がトップホールドＴＨ１，ＴＨ２に入力されるようにする。
つまり、ＳＷ１、ＳＷ２のオン／オフにより、入力端子Ｔ３及びＴ４から入力されるディスクリート方式の光学ピックアップからの出力信号によってセンターエラー信号が生成されるのか、入力端子Ｔ５及びＴ６に入力されるＬＣＲ方式の光学ピックアップからの出力信号によってセンターエラー信号が生成されるのかを切り替えることができる。
（４）ＲＦ信号生成部において、ＬＣＲ（レーザーカプラー）方式のときは入力信号ＰＤ１と入力信号ＰＤ２の和がＲＦ信号として出力され、ディスクリート方式のときは入力信号Ａ〜入力信号Ｄの合計がＲＦ信号として出力される。
【００２４】
図２は、光学ピックアップを備える光ディスク装置の一例を示すブロック図である。同図において、光ディスク５０は、スピンドルモータ５２の回転軸５１の先端に設けられた図示しないチャッキング部材によりチャッキングされ、上記スピンドルモータ５２により回転駆動される。
光学ピックアップ５３は、例えばレーザダイオード等のレーザ光源と、そのレーザ光を上記光ディスク５０の記録面上に集光照射させると共に上記記録面からの反射光を受光面上に導く光学系と、所定パターンの上記受光面を備え上記光学系により導かれた上記反射光の強弱を電圧の強弱に変換するフォトデテクタ等の光電変換素子と、上記光学系に含まれる対物レンズ５４を光ディスク５０の記録面に対して平行方向及び垂直方向に移動させる図示しない二軸アクチュエータ等から構成されている。
また、光学ピックアップ５３には、当該光学ピックアップ５３を光ディスク５０半径方向に移動させるスライド送り機構５７と、上記光学ピックアップ５３から出射されたレーザ光が光ディスク５０の記録面に垂直に入射するように光学ピックアップ５３の角度を調整するスキュー調整機構５６とが併設されている。
なお、公知であるため詳細な構成の図示は省略するが、上記スライド送り機構５７は、例えば光ディスク５０の径方向に沿って延びるラック及びこのラックに噛合する歯車からなるスレッド機構と、この歯車を回転させるステッピングモータなどからなり、上記光学ピックアップ５３は上記ラック上に設けられている。同じく詳細な構成の図示は省略するが、上記スキュー調整機構５６は、光学ピックアップ５３の光ディスク５０に対する角度を基準位置から最大送り位置の範囲内で変化させるスキュー角変更機構と、当該スキュー角変更機構の駆動源となるステッピングモータなどからなる。光学ピックアップ５３の出力信号は、フォーカスやトラッキングのエラーを検出するためにＲＦアンプ１０に入力される。ＲＦアンプ１０は図１に示したものである。
【００２５】
また、光学ピックアップ５３からの出力信号は、メカコントローラ１９に入力され、ドライブブロック１８を制御して、上述した光学ピックアップ５３のフォーカス、トラッキング、スライド送り、スキューなどの各種サーボや、光ディスク５０回転駆動用のスピンドルモータ５２の回転サーボを行う。すなわち、メカコントローラ１９は、上記フォーカスエラー信号とトラッキングエラー信号に基づいて、ドライブブロック１８のフォーカスドライブ５９とトラッキングドライブ６０が出力するフォーカスバイアス、トラッキングバイアス値を制御して、光学ピックアップ５３の二軸アクチュエータを駆動させる。これにより、光ディスク５０の記録面上に対物レンズ５４の焦点を合わせると共に所望のトラック上にレーザスポットを合わせる。
【００２６】
また、メカコントローラ１９は、ドライブブロック１８のスピンドルドライブ５８が出力するスピンドルモータ駆動信号を制御してスピンドルモータ５２を回転駆動させることにより、光ディスク５０を一定若しくは可変の回転速度で回転させる。また、メカコントローラ１９は、ドライブブロック１８のスライド送りドライブ６１を制御して前記スレッド送り機構のステッピングモータを駆動させて歯車を回転させることにより、光学ピックアップ５３を光ディスク５０の径方向に沿って移動させる。さらに、メカコントローラ１９は、ドライブブロック１８のスキュードライブ６２を制御して上記スキュー角変更機構のステッピングモータを駆動させることにより、光学ピックアップ５３を光ディスク５０の記録面と正対するようなセンター位置に位置決めする。なお、上記センター位置とは、光ディスク装置の製造時に、基準ディスクを用いて設定された動作中心位置である。
【００２７】
次に、図１のＲＦアンプをＬＣＲ（レーザーカプラー）方式用に使用する場合を図３及び図４を参照して説明する。図３に示すように、ＲＦアンプ１０の入力端子Ｔ１，Ｔ２，Ｔ５，Ｔ６にそれぞれＬＣＲ（レーザーカプラー）の出力端子ＰＤ１、ＰＤ２，Ｅ，Ｆを接続する。入力端子Ｔ３，Ｔ４は、加算器ＡＤＤ１、ＡＤＤ２が入力信号ＰＤ１，ＰＤ２をそのまま出力するように中間の電位に設定する。この場合、加算器ＡＤＤ１、ＡＤＤ２はバッファとして機能する。入力端子Ｔ７，Ｔ８には何も接続しない（Ｎ．Ｃ．）。そしてＲＦアンプ１０にＬＣＲ（レーザーカプラー）方式用の切替信号を入力する。この場合において、第１スイッチＳＷ１及び第２スイッチＳＷ２はオフにされる。第３スイッチＳＷ３は第５差動増幅器ＤＡＭＰ５の出力を選択する。
【００２８】
上記のように設定した場合の信号の流れの詳細を図４に示す。同図の太線の部分が信号の流れを示す。図４の論理式は次の通りである。
・フォーカスエラー信号（ＦＥ信号）：（ＰＤ１信号）−（ＰＤ２信号）＝ＦＥ信号
・ＣＤのトラッキングエラー信号（ＴＥ信号）：（Top Hold Push pullされたＥ信号）−（Top Hold Push pullされたＦ信号）＝ＴＥ信号
・センターエラー信号（ＣＥ信号）：（Top HoldされたＥ信号）−（Top HoldされたＦ信号）＝ＣＥ信号
・ＲＦ信号：（ＰＤ１信号）＋（ＰＤ２信号）＝ＲＦ信号
これらはＬＣＲ（レーザーカプラー）方式の論理式に一致する。したがって、図１のＲＦアンプを上述のように設定すればＬＣＲ（レーザーカプラー）方式用のＲＦアンプとして使用することができる。
【００２９】
ここで、ＬＣＲ（レーザーカプラー）について簡単に説明する。レーザーカプラーはハイブリッド光集積デバイスであり、光学ピックアップをシンプルに実現することができる。このため光学ピックアップの小型化・簡略化・高信頼性化、低コスト化が可能となる。一例を挙げると、再生信号等はＤＶＤ／ＣＤのモード切替スイッチにより切り替えて出力することができる。フォーカスエラー信号検出方法としてＤＶＤ／ＣＤ共に差動スポットサイズ法を採用している。トラッキングエラー信号検出方法としてＤＶＤでは位相差法を、ＣＤではプッシュプル法を採用している。ＤＶＤの場合の出力信号ＰＤ１，ＰＤ２，Ｅ，Ｆの概要を図５（ａ）に示し、ＣＤの場合の出力信号ＰＤ１，ＰＤ２，Ｅ，Ｆの概要を図５（ｂ）に示す。
【００３０】
次に、図１のＲＦアンプをディスクリート方式用に使用する場合を図６及び図７を参照して説明する。図６に示すように、入力端子Ｔ１〜Ｔ４、Ｔ７，Ｔ８にそれぞれディスクリート方式のＰＤＩＣ（フォトデテクタＩＣ）の出力端子Ａ〜Ｄ、Ｅ，Ｆを接続する。入力端子Ｔ５，Ｔ６には何も接続しない（Ｎ．Ｃ．）。そしてＲＦアンプ１０にディスクリート方式用の切替信号を入力する。この場合において、第１スイッチＳＷ１及び第２スイッチＳＷ２はオンにされる。第３スイッチＳＷ３は第６差動増幅器ＤＡＭＰ６の出力を選択する。
【００３１】
上記のように設定した場合の信号の流れの詳細を図７に示す。同図の太線の部分が信号の流れを示す。図７の論理式は次の通りである。
・フォーカスエラー信号（ＦＥ信号）：（Ａ信号＋Ｃ信号）−（Ｂ信号＋Ｄ信号）＝ＦＥ信号
・ＣＤのトラッキングエラー信号（ＴＥ信号）：（Ｅ２信号）−（Ｆ２信号）＝ＴＥ信号
・センターエラー信号（ＣＥ信号）：（Top HoldされたＡ＋Ｄ信号）−（Top HoldされたＢ＋Ｃ信号）＝ＣＥ信号
・ＲＦ信号：（Ａ信号）＋（Ｂ信号）＋（Ｃ信号）＋（Ｄ信号）＝ＲＦ信号
これらはディスクリート方式の論理式に一致する。したがって、図１のＲＦアンプを上述のように設定すればディスクリート方式用のＲＦアンプとして使用することができる。
【００３２】
ここで、ＰＤＩＣ（フォトデテクタ）について簡単に説明する。ＰＤＩＣ（フォトデテクタ）はＤＶＤプレーヤー等に用いられる光学ピックアップ用の受光素子である。ＣＤ用、ＤＶＤ用として別個の受光領域を設けたものもある。図８はそのような例を示し、Ａ〜ＤはＤＶＤ用であり、ａ〜ｄはＣＤ用である。ＣＤ用受光信号とＤＶＤ用受光信号は同一ピンから出力される。いずれの信号を出力するかはスイッチで選択する方式としている。
【００３３】
本発明の実施の形態１によれば、デバイス自体のサイズを大きくすることなく、ピンを共用化することにより従来と同じサイズでＬＣＲ（レーザーカプラー）方式とディスクリート方式の光学ピックアップのどちらにも適用できるＲＦアンプを実現した。
【００３４】
共用することにより次のようなメリットが得られる。
・コストダウン
・トラブルシューティング時の作業性向上。ＬＣＲ（レーザーカプラー）方式とディスクリート方式の光学ピックアップを交換して試験することにより、トラブルの原因が光学ピックアップ側になるのかそれともＲＦアンプ以降の部分にあるのか、の切り分けが可能になる。
・調達容易な光学ピックアップにＲＦアンプを組み合わせて製品を製造することが可能で、生産数量や納期に柔軟に対応できるようになる。
【００３５】
発明の実施の形態２．
発明の実施の形態１において、加算器ＡＤＤ３は論理式（Ａ＋Ｃ）＋（Ａ＋Ｄ）＝ＲＦに従い、加算器ＡＤＤ１とＡＤＤ２の出力を加算した。この論理式に代えて論理式（Ａ＋Ｄ）＋（Ｂ＋Ｃ）＝ＲＦを用いても同様にＲＦ信号を生成することが可能である。このようにした例を図９に示す。この図において図１と同一・相当部分については同一符号を付している。
【００３６】
図９のＲＦアンプは、第３加算器ＡＤＤ３は、第１加算器ＡＤＤ１の出力と第２加算器ＡＤＤ２の出力を加算することに代えて、第４加算器ＡＤＤ４の出力と第５加算器ＡＤＤ６の出力を加算するようにしたものである。その他の部分の構成及び動作は発明の実施の形態１と同様であるので、その説明は省略する。
【００３７】
発明の実施の形態３．
発明の実施の形態１において、ＣＤのトラッキングエラー信号（ＴＥ信号）生成部においてＬＣＲ（レーザーカプラー）方式用とディスクリート方式用に２つの差動アンプＤＡＭＰ５とＤＡＭＰ６を設けたが、これらを共有化することもできる。このようにした例を図１０に示す。この図において図１と同一・相当部分については同一符号を付している。
【００３８】
図１０のＲＦアンプは第５差動増幅器ＤＡＭＰ５、第６差動増幅器ＤＡＭＰ６及び第３スイッチＳＷ３に代えて、第３差動増幅器ＤＡＭＰ３の出力又は第７端子Ｔ７の入力信号Ｅ２のいずれかを選択する第４スイッチＳＷ４と、第４差動増幅器ＤＡＭＰ４の出力又は第８端子Ｔ８の入力信号Ｆ２のいずれかを選択する第５スイッチＳＷ５と、第４スイッチＳＷ４の出力から第５スイッチＳＷ５の出力を減算する第７差動増幅器ＤＡＭＰ７とを設けたものである。ＬＣＲ方式の場合は、ＳＷ４をＤＡＭＰ３側へ接続するとともにＳＷ５をＤＡＭＰ４側へ接続し、ディスクリート方式の場合は、ＳＷ４をＥ２側へ接続するとともにＳＷ５をＦ２側へ接続して、ピックアップの方式に応じて選択した信号をＤＡＭＰ７へ入力できるようにした。
【００３９】
発明の実施の形態３では、スイッチはひとつ増えるものの差動増幅器の数をひとつ減らすことができる。その他の部分の構成及び動作は発明の実施の形態１と同様であるので、その説明は省略する。
【００４０】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００４１】
【図１】発明の実施の形態１に係るＲＦアンプのブロック図である。
【図２】光ディスク装置の概要を示すブロック図である。
【図３】発明の実施の形態１に係るＲＦアンプをＬＣＲ（レーザーカプラー）方式で使用するときの接続の説明図である。
【図４】発明の実施の形態１に係るＲＦアンプをＬＣＲ（レーザーカプラー）方式で使用したときの動作説明図である。
【図５】ＬＣＲ（レーザーカプラー）の説明図である。
【図６】発明の実施の形態１に係るＲＦアンプをディスクリート方式で使用するときの接続の説明図である。
【図７】発明の実施の形態１に係るＲＦアンプをディスクリート方式で使用したときの動作説明図である。
【図８】ディスクリート方式のＰＤＩＣ（フォトデテクタＩＣ）の受光パターンの説明図である。
【図９】発明の実施の形態２に係るＲＦアンプのブロック図である。
【図１０】発明の実施の形態３に係るＲＦアンプのブロック図である。
【図１１】従来のＬＣＲ（レーザーカプラー）方式用のＲＦアンプのブロック図である。
【図１２】従来のディスクリート方式用のＲＦアンプのブロック図である。
【符号の説明】
【００４２】
１０    ＲＦアンプ
５３    光学ピックアップ
ＡＤＤ１  第１加算器
ＡＤＤ２  第２加算器
ＡＤＤ３  第３加算器
ＡＤＤ４  第４加算器
ＡＤＤ５  第５加算器
ＡＭＰ１  増幅器
ＡＭＰ２  増幅器
ＤＡＭＰ１  第１差動増幅器
ＤＡＭＰ２  第２差動増幅器
ＤＡＭＰ３  第３差動増幅器
ＤＡＭＰ４  第４差動増幅器
ＤＡＭＰ５  第５差動増幅器
ＤＡＭＰ６  第６差動増幅器
ＤＡＭＰ７  第７差動増幅器
ＳＷ１    第１スイッチ
ＳＷ２    第２スイッチ
ＳＷ３    第３スイッチ
ＳＷ４    第４スイッチ
ＳＷ５    第５スイッチ
Ｔ１    受光信号ＰＤ１／Ａ共用の第１入力端子
Ｔ２    受光信号ＰＤ２／Ｂ共用の第２入力端子
Ｔ３    受光信号Ｃ用の第３入力端子
Ｔ４    受光信号Ｄ用の第４入力端子
Ｔ５    受光信号Ｅ用の第５入力端子
Ｔ６    受光信号Ｆ用の第６入力端子
Ｔ７    受光信号Ｅ２用の第７入力端子
Ｔ８    受光信号Ｆ２用の第８入力端子
ＴＨ１  第１トップホールド回路
ＴＨ２  第２トップホールド回路
ＲＦ    ＲＦ出力端子
ＦＥ    フォーカスエラー出力端子
ＣＥ    センターエラー出力端子
ＣＤ＿ＴＥ  ＣＤのトラッキングエラー出力端子
【図１】
2005243095.tif 000003
【図２】
2005243095.tif 000004
【図３】
2005243095.tif 000005
【図４】
2005243095.tif 000006
【図５】
2005243095.tif 000007
【図６】
2005243095.tif 000008
【図７】
2005243095.tif 000009
【図８】
2005243095.tif 000010
【図９】
2005243095.tif 000011
【図１０】
2005243095.tif 000012
【図１１】
2005243095.tif 000013
【図１２】
2005243095.tif 000014